(57)【特許請求の範囲】
【請求項１】
第１樹脂枠と第２樹脂枠が溶着によって接続された樹脂製枠体に被取付器具を取り付ける取付器具であって、
前記第１樹脂枠と前記第２樹脂枠が接合された部分である溶着部の少なくとも一部を覆うように配置され、前記第１樹脂枠に固定されるとともに前記第２樹脂枠に固定される固定部材と、
前記固定部材に配置され、前記被取付器具を保持する保持部と、
を備え、
前記保持部は、上方に突出し、前記被取付器具を係合可能な係合部を有する樹脂製枠体用の取付器具。
【請求項２】
前記固定部材における前記樹脂製枠体側の面に配置されるシール材を備え、
前記固定部材には、締結部材が挿通する締結孔が形成されており、
前記シール材は、前記締結孔を囲うように形成される請求項１に記載の樹脂製枠体用の取付器具。
【請求項３】
前記保持部は、前記固定部材とは別体であり、前記固定部材を介して前記樹脂製枠体に固定される請求項１又は２に記載の樹脂製枠体用の取付器具。
【請求項４】
前記被取付器具は、スクリーンを引き出し自在なスクリーン装置である請求項１から３の何れかに記載の樹脂製枠体用の取付器具。
【請求項５】
請求項１から４の何れかに記載の前記取付器具と、
前記樹脂製枠体と、
前記樹脂製枠体に前記取付器具を介して取り付けられる前記被取付器具と、
を備える建具。
【発明の詳細な説明】
【技術分野】
【０００１】
本発明は、樹脂枠と樹脂枠が溶着によって接続された樹脂製枠体に被取付器具を取り付ける取付器具及びこれを備える建具に関する。
【背景技術】
【０００２】
従来、建物の開口部に納められる枠体等に、取付器具を介してスクリーン装置等の被取付器具を枠体に固定する技術が知られている。この種の技術を開示するものとして例えば特許文献１がある。特許文献１には、日よけ等に用いられるスクリーン装置をサッシ枠の室外側に取付けるスクリーン装置取付具に関する技術が記載されている。
【先行技術文献】
【特許文献】
【０００３】
【特許文献１】特開２０１４−２１４５６８号公報
【発明の概要】
【発明が解決しようとする課題】
【０００４】
アルミサッシの枠体等では、スクリーン装置等の被取付器具を枠体に直接的に取り付けている。特許文献１では、縦枠の板状部をスクリーン装置取付具の第一挟持部と第二挟持部で挟み込んでスクリーン装置を固定することが記載されている。これに対して樹脂製枠体では、被取付器具を枠体に直接的に取り付けるのではなく、その壁に被取付器具を固定して対応することが多かった。
【０００５】
本発明は、スクリーン装置等の被取付器具を樹脂製枠体で安定的に支持できるとともに、樹脂製枠体の強度を高めることができる樹脂製枠体用の取付器具及びこれを備える建具を提供することを目的とする。
【課題を解決するための手段】
【０００６】
本発明は、第１樹脂枠（例えば、後述の上枠２１）と第２樹脂枠（例えば、後述の縦枠２３）が溶着によって接続された樹脂製枠体（例えば、後述の樹脂製枠体２０）に被取付器具（例えば、後述のスクリーン装置３０）を取り付ける取付器具（例えば、後述の取付器具２）であって、前記第１樹脂枠と前記第２樹脂枠が接合された部分である溶着部（例えば、後述の溶着部５）の少なくとも一部を覆うように配置され、前記第１樹脂枠に固定されるとともに前記第２樹脂枠に固定される固定部材（例えば、後述のブラケット４０）と、前記固定部材に配置され、前記被取付器具を保持する保持部（例えば、後述の保持金具７０）と、を備える樹脂製枠体用の取付器具に関する。
【０００７】
前記取付器具は、前記固定部材における前記樹脂製枠体側の面に配置されるシール材（例えば、後述のシール材５０）を備え、前記固定部材には、締結部材（例えば、後述のビス６１〜６３）が挿通する締結孔（例えば、後述の上枠締結孔４１、縦枠締結孔４２及び保持金具締結孔４３）が形成されており、前記シール材は、前記締結孔を囲うように形成されることが好ましい。
【０００８】
前記保持部は、前記固定部材とは別体であり、前記固定部材を介して前記樹脂製枠体に固定されることが好ましい。
【０００９】
前記保持部は、上方に突出し、前記被取付器具を係合可能な係合部（例えば、後述の係合部７１）を有することが好ましい。
【００１０】
前記被取付器具は、スクリーン（例えば、後述のスクリーン３１）を引き出し自在なスクリーン装置（例えば、後述のスクリーン装置３０）であることが好ましい。
【００１１】
本発明は、前記取付器具と、前記樹脂製枠体と、前記樹脂製枠体に前記取付器具を介して取り付けられる前記被取付器具と、を備える建具に関する。
【発明の効果】
【００１２】
本発明の樹脂製枠体用の取付器具及びこれを備える建具によれば、スクリーン装置等の被取付器具を樹脂製枠体で安定的に支持できるとともに、樹脂製枠体の強度を高めることができる。
【図面の簡単な説明】
【００１３】
【図１】本発明の一実施形態に係る被取付器具としてのスクリーン装置を備える建具を示す斜視図である。
【図２】樹脂製枠体にブラケットを介して取り付けられたスクリーン装置を示す拡大側面図である。
【図３】本実施形態のブラケットの正面図である。
【図４】本実施形態のブラケットの縦断面図である。
【図５】本実施形態のブラケットの横断面図である。
【図６】本実施形態のブラケットを取り付ける前の樹脂製枠体の溶着部及びその周囲を示す拡大斜視図である。
【図７】本実施形態のブラケットを取り付けるためのターンナットが埋め込まれた樹脂製枠体の溶着部及びその周囲を示す拡大斜視図である。
【図８】本実施形態のブラケットが上枠締結孔を挿通するビスによって締結された樹脂製枠体の溶着部及びその周囲を示す拡大斜視図である。
【図９】本実施形態のブラケットに保持金具が固定された樹脂製枠体の溶着部及びその周囲を示す拡大斜視図である。
【図１０】本実施形態の保持金具が固定されたブラケット及び溶着部を示す正面図である。
【図１１】変形例のブラケットが上枠締結孔を挿通するビスによって締結された樹脂製枠体の溶着部及びその周囲を示す拡大斜視図である。
【発明を実施するための形態】
【００１４】
以下、本発明の好ましい実施形態について、図面を参照しながら説明する。なお、本明細書において、「見付方向」とは、建物に形成された開口部に納められた樹脂製枠体の上枠、下枠の長手方向（すなわち、ガラスや障子の面内水平方向）を意味し、「見込方向」とは、屋内外方向（すなわち、奥行き方向）を意味する。また、左右方向は、屋外から見たときの見付方向における右側、左側とする。
【００１５】
図１は、本発明の一実施形態に係る被取付器具としてのスクリーン装置３０を備える建具１を示す斜視図である。図１では、スクリーン装置３０のスクリーン３１が引き出された状態を屋外側から見た様子が示されている。図２は、樹脂製枠体２０にブラケット４０を介して取り付けられたスクリーン装置３０を示す拡大側面図である。図２では、スクリーン３１がケース３２の内側に巻き取られた状態が示されている。
【００１６】
図１に示すように、建具１は、建物に形成される開口部に納められる樹脂製枠体２０と、樹脂製枠体２０の内側に納められる窓ガラス等の障子（図示省略）と、樹脂製枠体２０に取り付けられるスクリーン装置３０と、スクリーン装置３０を樹脂製枠体２０に取り付けるための取付器具２と、を主要な構成として備える。
【００１７】
樹脂製枠体２０は、上枠（第１樹脂枠）２１と、下枠２２と、左右の縦枠（第２樹脂枠）２３と、を溶着により接合した樹脂サッシである。上枠２１、下枠２２及び左右の縦枠２３は、何れも樹脂によって構成されており、これらの樹脂枠が方形の枠組み状に接合されている。この樹脂製枠体２０の内側に上述の障子（図示省略）が設けられる。
【００１８】
スクリーン装置３０は、樹脂製枠体２０に取り付けられる被取付器具である。スクリーン装置３０は、スクリーン３１と、該スクリーン３１を巻き取って収容可能なケース３２と、を備える。
【００１９】
ケース３２の材料としては例えば、アルミ等が用いられている。スクリーン３１は、網で構成されるサンシェードである。スクリーン３１の先端側にはボトムバー３３が取り付けられている。左右の縦枠２３の下部には、ボトムバー３３を係合するフック３９が設けられる。左右のフック３９にボトムバー３３を係合することで、スクリーン３１が樹脂製枠体２０に沿った状態で保持される。また、例えばボトムバー３３には、スクリーン３１を固定するためのボトムバー係合部３５が設けられてもよい。建具１が設置される建物の屋外、例えばデッキには、スクリーン固定具（図示省略）が配置されており、ボトムバー３３のボトムバー係合部３５をスクリーン固定具に固定してスクリーン３１を屋外側に引き出した状態で保持することもできる。また、図２に示すように、スクリーン３１を使用しないときはケース３２の内側にスクリーン３１を巻き取って収容することができるようになっている。
【００２０】
図２に示すように、スクリーン装置３０上部の樹脂製枠体２０側には、該樹脂製枠体２０側に延びた後に下方に屈曲する装置側係合部３６が形成される。また、スクリーン装置３０下部にはビス７７によって取付器具２に締結される装置側締結部３７が形成される。
【００２１】
図１に示すように、取付器具２は、樹脂製枠体２０上部の左右両側（見付方向両側）に配置されており、該取付器具２を介してスクリーン装置３０が樹脂製枠体２０に支持される。本実施形態では、スクリーン装置３０のケース３２上面と、樹脂製枠体２０の上面と、が略一致するように、取付器具２によってスクリーン装置３０が樹脂製枠体２０に支持されている。
【００２２】
次に、スクリーン装置３０を樹脂製枠体２０に固定する取付器具２について説明する。取付器具２は、上枠２１と縦枠２３が溶着によって接続された樹脂製枠体２０にスクリーン装置３０を取り付けるものである。図２に示すように、取付器具２は、固定部材としてのブラケット４０と、保持部としての保持金具７０と、を備える。
【００２３】
まず、ブラケット４０の構造について説明する。図３は、本実施形態のブラケット４０の正面図である。図４は、本実施形態のブラケット４０の縦断面図であり、図３のＡ−Ａ線断面図である。図５は、本実施形態のブラケット４０の横断面図であり、図３のＢ−Ｂ線断面図である。図３から図５に示すブラケット４０は、何れも見込方向の屋外側から見て右側に固定されるブラケット４０である。なお、左右のブラケット４０は、左右対称な形状となっており、以下の説明では右側のブラケット４０を例として説明する。
【００２４】
図３から図５に示すように、ブラケット４０は、金属により矩形の板状に形成される。本実施形態のブラケット４０は、縦長の長方形状になっている。
【００２５】
ブラケット４０には、上枠締結孔４１、縦枠締結孔４２、保持金具締結孔４３が形成される。上枠締結孔４１は、３つの孔のうち、最も上方であって左側（見付方向の内側）に配置されている。縦枠締結孔４２は、３つの孔のうち、最も下方であって右側（見付方向の外側）に配置されている。保持金具締結孔４３は、縦枠締結孔４２の直上に配置されており、上枠締結孔４１及び縦枠締結孔４２よりも小さい孔となっている。なお、見付方向の内側及び外側は、樹脂製枠体２０の見付方向の中心を基準として中心に向かう向きを内側、中心から離れる向きを外側として説明する。
【００２６】
本実施形態のブラケット４０の裏面にはシール材５０が取り付けられている。シール材５０は、ブラケット４０より一回り小さい矩形に形成されており、例えばエチレンプロピレンゴムで構成される。シール材５０には、上枠締結孔４１の位置に対応するシール側上枠締結孔５１、縦枠締結孔４２の位置に対応するシール側縦枠締結孔５２及び保持金具締結孔４３の位置に対応するシール側保持金具締結孔５３が形成される。
【００２７】
シール側上枠締結孔５１は、その大きさが上枠締結孔４１よりも一回り大きく、シール側縦枠締結孔５２は、その大きさが縦枠締結孔４２よりも一回り大きく、シール側保持金具締結孔５３は、その大きさが保持金具締結孔４３よりも一回り大きく形成されている。このように、シール材５０側の孔がブラケット４０に形成される孔よりも一回り大きく形成されることにより、後述するビス６１〜６３の締結作業でシール材５０がビス６１〜６３に巻き込まれる事態が防止されている。
【００２８】
図６は、本実施形態のブラケット４０を取り付ける前の樹脂製枠体２０の溶着部５及びその周囲を示す拡大斜視図である。図６に示すように、樹脂製枠体２０の溶着部５は、上枠２１と縦枠２３の端部が接合されている部分である。溶着部５は、その溶着面が正面視で上側に進むにつれて見付方向の外側（図６において右側）に進むように傾斜している。なお、図６から図９は、右側の溶着部５を示したものであり、左側の溶着部５についても同様の構成である（図１０参照）。
【００２９】
まず、ドリル等の器具を用いて樹脂製枠体２０に上枠締結孔４１に対応する第１取付孔８１、縦枠締結孔４２に対応する第２取付孔８２及び保持金具締結孔４３に対応するビス逃がし孔８３を形成する。
【００３０】
本実施形態では、ブラケット４０の取付位置が樹脂製枠体２０のコーナーとなっている。これを利用して固定前のブラケット４０を樹脂製枠体２０のコーナーに合わせた状態で、ブラケット４０の上枠締結孔４１、縦枠締結孔４２及び保持金具締結孔４３の位置を樹脂製枠体２０に容易かつ適切にマークできるようになっている。例えば、右側の溶着部５の場合、ブラケット４０の上面と右側面が樹脂製枠体２０のコーナーの上面と側面に面一になるように置き、上枠締結孔４１、縦枠締結孔４２及び保持金具締結孔４３から目印を付ける。この目印を基準として開孔作業を行うことで、適切な位置に容易に第１取付孔８１、第２取付孔８２及びビス逃がし孔８３をそれぞれ形成することができる。
【００３１】
次に、形成した第１取付孔８１及び第２取付孔８２にターンナット６０をそれぞれ嵌め込む。図７は、本実施形態のブラケット４０を取り付けるためのターンナット６０が埋め込まれた樹脂製枠体２０の溶着部５及びその周囲を示す拡大斜視図である。
【００３２】
図７に示すように、ターンナット６０が嵌め込まれた樹脂製枠体２０の溶着部５に対してブラケット４０の位置を合わせた上で、上枠締結孔４１及びシール側上枠締結孔５１にビス６１を締結する。図８は、本実施形態のブラケット４０が上枠締結孔４１を挿通するビス６１によって締結された樹脂製枠体２０の溶着部５及びその周囲を示す拡大斜視図である。
【００３３】
図８に示すように、ビス６１によって樹脂製枠体２０に仮固定されたブラケット４０に対して保持金具７０をビス６２、ビス６３によって取り付ける。
【００３４】
保持金具７０は、スクリーン装置３０を保持する部材である。本実施形態の保持金具７０は、その上部に係合部７１が形成されるとともに、下部に締結部７２が形成される。
【００３５】
係合部７１は、保持金具７０のブラケット４０に取り付けられる部分から手前側（樹脂製枠体２０から離れる側）に突出した後、上方に屈曲するように形成される。係合部７１は、スクリーン装置３０を下から支持するように、装置側係合部３６に係合する。樹脂製枠体２０に対するスクリーン装置３０の高さは係合部７１の形状及びブラケット４０の取付位置を変えることで調節することができる。
【００３６】
締結部７２は、保持金具７０のブラケット４０に取り付けられる部分から手前側に突出した後、下方に延び、再び手前側に屈曲するように形成される。締結部７２には、ビス７７をスクリーン装置３０側に締結するための締結孔７６が形成される。
【００３７】
また、保持金具７０におけるブラケット４０に取り付けられる部分であって、係合部７１と締結部７２の間には、保持金具締結孔４３に対応する第１金具側締結孔７３及び縦枠締結孔４２に対応する第２金具側締結孔７４が形成される。
【００３８】
ビス６２は保持金具７０及びブラケット４０を樹脂製枠体２０に共締めする締結部材であり、第２金具側締結孔７４及び縦枠締結孔４２を通じてターンナット６０に締結される。
【００３９】
ビス６３は保持金具７０をブラケット４０に固定するための締結部材であり、第１金具側締結孔７３を通じて保持金具締結孔４３に締結され、その先端はビス逃がし孔８３に差し込まれる。
【００４０】
図９は、本実施形態のブラケット４０に保持金具７０が固定された樹脂製枠体２０の溶着部５及びその周囲を示す拡大斜視図である。図１０は、本実施形態の保持金具７０が固定されたブラケット４０及び溶着部５を示す正面図である。図９に示すように、ブラケット４０に保持金具７０が取り付けられた状態では、ビス６１が上枠２１に締結されるとともにビス６２が縦枠２３に締結された状態となる。
【００４１】
図１０は、本実施形態のブラケット４０に保持金具７０が固定された樹脂製枠体２０の溶着部５及びその周囲を示す拡大平面図である。図１０では、左右の溶着部５に配置されたブラケット４０及び保持金具７０の様子が示されている。
【００４２】
図１０に示すように、上枠２１の内側には上枠リブ２５が上枠２１の長手方向に沿って形成されており、縦枠２３の内側には縦枠リブ２６が縦枠２３の長手方向に沿って形成されている。本実施形態のブラケット４０は、正面から見たときに、上枠リブ２５及び縦枠リブ２６にブラケット４０が重なるように配置されており、捩れるような力を受けたときの樹脂製枠体２０の剛性を効果的に向上させることが可能になっている。ブラケット４０の形状を矩形に形成することにより、上枠リブ２５及び縦枠リブ２６と重なる範囲も大きくなっている。なお、上枠リブ２５及び縦枠リブ２６は、ホロー構造のようなものや中実のもの等、適宜のものを用いることができる。
【００４３】
保持金具７０を含むブラケット４０は、樹脂製枠体２０の左右それぞれの溶着部５に固定されており、溶着部５を保護しつつ、スクリーン装置３０の左右両側を支持する取付具として機能する。図２に示すように、左右の保持金具７０の係合部７１にスクリーン装置３０の装置側係合部３６を係止した状態で、保持金具７０の締結孔７６を通じてスクリーン装置３０の装置側締結部３７にビス７７を締結する。これによって、スクリーン装置３０が取付器具２を介して樹脂製枠体２０に固定される。
【００４４】
以上説明した本実施形態によれば、以下のような効果を奏する。
樹脂製枠体用の取付器具２は、上枠２１と縦枠２３が接合された部分である溶着部５の少なくとも一部を覆うように配置され、上枠２１に固定されるとともに縦枠２３に固定されるブラケット４０と、ブラケット４０に配置され、スクリーン装置３０を保持する保持金具７０と、を備える。
【００４５】
これにより、上枠２１と縦枠２３が溶着接続された部分である溶着部５をブラケット４０で保護して樹脂製枠体２０の剛性を向上させつつ、スクリーン装置３０等の被取付器具を樹脂製枠体２０に容易かつ適切に保持させることができる。溶着部５の接合力とともに上枠２１と縦枠２３に跨って配置されるブラケット４０によって樹脂製枠体２０に高い剛性を付与できるので、溶着部５への捩れるような力にも強く、ユーザにより一層安心感を与えることができる樹脂製枠体２０を提供できる。
【００４６】
本実施形態の取付器具２は、ブラケット４０における樹脂製枠体２０側の面に配置されるシール材５０を備え、ブラケット４０には、ビス６１〜６３を挿通する上枠締結孔４１、縦枠締結孔４２及び保持金具締結孔４３が形成されており、シール材５０は、上枠締結孔４１、縦枠締結孔４２及び保持金具締結孔４３を囲うように形成される。
【００４７】
これにより、シール材５０によってブラケット４０の裏面と樹脂製枠体２０の表面の隙間が埋められるので、ビス６１〜６３等の締結部材を挿通するために樹脂製枠体２０に形成されている第１取付孔８１、第２取付孔８２及びビス逃がし孔８３から樹脂製枠体２０の内側に水が侵入を防ぐことができる。従って、上枠２１の内側に入り込んだ水の温度が下がって樹脂製枠体２０の内側で凍結するような事態も防止できる。
【００４８】
本実施形態の保持金具７０は、ブラケット４０とは別体であり、ブラケット４０を介して樹脂製枠体２０に固定される。
【００４９】
これにより、保持金具７０を他の部材と共通化することができる。また、保持金具７０のブラケット４０への固定位置をかえてブラケット４０の取付位置を変えることなく、スクリーン装置３０の位置を調節する設計も可能である。
【００５０】
本実施形態の保持金具７０は、上方に突出し、スクリーン装置３０を係合可能な係合部７１を有する。
【００５１】
これにより、係合部７１によってスクリーン装置３０を係合状態にした後に、締結作業を行うことができるので、締結作業をより安定した環境で行うことができる。また、係合部７１の位置を調節することによってスクリーン装置３０の高さを調節することができる。これによって、本実施形態のように、スクリーン装置３０のケース３２の上面と樹脂製枠体２０（上枠２１）の上面が略面一となるように高さを調節して、意匠性の良い位置へのスクリーン装置３０の取付作業を安定的かつ容易に行うことができる。
【００５２】
本実施形態では、スクリーン３１を引き出し自在なスクリーン装置３０が被取付器具として取付器具２によって樹脂製枠体２０に取り付けられる。スクリーン装置３０のように、スクリーン３１を出し入れすることによって振動が生じ、樹脂製枠体２０にその振動が伝達するような場合であっても、本実施形態のブラケット４０によって溶着部５が保護されて剛性が向上した樹脂製枠体２０によってスクリーン装置３０を安定的に支持できる。
【００５３】
以上、本発明の好ましい実施形態について説明したが、本発明は、上述の実施形態に制限されるものではなく、適宜変更が可能である。
【００５４】
上記実施形態では、ブラケット４０が平板状に形成されている構成であるが、ブラケット４０の形状は矩形状の構成に限定されない。次に、ブラケットの形状が上記実施形態と異なる変形例について説明する。図１１は、変形例のブラケット２４０が上枠締結孔４１を挿通するビス６１によって締結された樹脂製枠体２０の溶着部及びその周囲を示す拡大斜視図である。なお、上記実施形態と同様の構成については同じ符号を付している。
【００５５】
図１１に示すように、変形例のブラケット２４０はＬ字状に形成されている。このブラケット２４０においても、溶着部５に重なるように配置されており、上枠２１及び縦枠２３にそれぞれ締結固定されている。変形例においても、樹脂製枠体２０の剛性を向上させつつ、スクリーン装置３０を樹脂製枠体２０に取り付けることができる。
【００５６】
上記実施形態では、樹脂製枠体２０の溶着部５が正面視において斜めになっている例を説明したが、溶着部の向きや範囲は事情に応じて適宜変更することができる。例えば、溶着部の溶着面が正面視において上下方向に延びている場合や水平方向に延びている構成でもよい。また、ブラケット４０が上枠リブ２５及び縦枠リブ２６に重ならない位置に配置したり、上枠リブ２５及び縦枠リブ２６がないような上枠及び縦枠の接合箇所に配置したりする構成としてもよい。また、上枠２１や縦枠２３を接合する場合に限られず、下枠と縦枠の接合箇所や、横枠と横枠の接合箇所や、縦枠と縦枠の接合箇所等、溶着部が形成される場所に本発明を適用することができる。
【００５７】
上記実施形態では、屋外にスクリーン装置３０を取り付ける構成を例としたが、屋内側に被取付器具、例えばロールスクリーン装置等を樹脂製枠体に取り付けるための取付器具にも本発明を適用できる。また、被取付器具はスクリーン装置に限られず、格子やシャッター等、種々の被取付器具を樹脂製枠体に取り付ける場合にも本発明の取付器具を適用することができる。
【００５８】
上記実施形態では、シール材５０は、上枠締結孔４１、縦枠締結孔４２及び保持金具締結孔４３にそれぞれ対応するシール側上枠締結孔５１、シール側縦枠締結孔５２及びシール側保持金具締結孔５３が形成される構成であるが、その構成は適宜変更できる。例えば、ブラケット４０の縁を覆うようにシール材を配置することで、上枠締結孔４１、縦枠締結孔４２及び保持金具締結孔４３を囲うようにしてもよい。
【符号の説明】
【００５９】
１  建具
２  取付器具
５  溶着部
２０  樹脂製枠体
２１  上枠（第１樹脂枠）
２３  縦枠（第２樹脂枠）
３０  スクリーン装置（被取付器具）
４０  ブラケット（固定部材）
４１  上枠締結孔（締結孔）
４２  縦枠締結孔（締結孔）
４３  保持金具締結孔（締結孔）
５０  シール材
５１  シール側上枠締結孔（シール側締結孔）
５２  シール側縦枠締結孔（シール側締結孔）
５３  シール側保持金具締結孔（シール側締結孔）
７０  保持金具（保持部）
【図１】
0006715674.tif 000002
【図２】
0006715674.tif 000003
【図３】
0006715674.tif 000004
【図４】
0006715674.tif 000005
【図５】
0006715674.tif 000006
【図６】
0006715674.tif 000007
【図７】
0006715674.tif 000008
【図８】
0006715674.tif 000009
【図９】
0006715674.tif 000010
【図１０】
0006715674.tif 000011
【図１１】
0006715674.tif 000012